(57)【要約】【課題】  共通電圧発生回路で発生するリップルノイズを遮断することが可能な液晶表示装置を提供すること。【解決手段】  本発明の液晶表示装置は，フィールド順次駆動液晶表示パネル部３６０を構成する複数の画素に共通電圧を印加する複数の共通電圧ライン３３１上，共通電圧ラインの共通ノードと共通電圧発生回路３３０との間，または共通電圧発生回路３３０とフレキシブルプリント回路基板に具備されたレギュレータとの間に，フィルタリング部３４０を備える。かかる構成により，共通電圧発生回路で発生するリップルノイズは除去され，液晶表示パネル部の表示性能が向上する。【選択図】図３Ａ
2006235562.tif 000002
【特許請求の範囲】
【請求項１】
走査駆動部から走査信号を供給する複数の走査線と，データ駆動部からデータを供給する複数のデータ線との交差領域で定義される複数の画素を有するパネル部と；
前記パネル部に具備された前記複数の画素に共通電圧を供給するための共通電圧発生回路と；
前記共通電圧発生回路から供給される前記共通電圧を前記複数の画素に印加するための複数の共通電圧ライン上に位置して，前記共通電圧発生回路で発生するリップルノイズを遮断するためのフィルタリング部と；
を備えることを特徴とする，液晶表示装置。
【請求項２】
前記フィルタリング部は，
前記パネル部と前記共通電圧発生回路との間に具備されることを特徴とする，請求項１に記載の液晶表示装置。
【請求項３】
前記フィルタリング部は，
低域通過フィルタの特性を有することを特徴とする，請求項１または２に記載の液晶表示装置。
【請求項４】
前記フィルタリング部は，
ＬＴＰＳ技術により製造されることを特徴とする，請求項１〜３のいずれかに記載の液晶表示装置。
【請求項５】
前記フィルタリング部は，
アクティブＲＣフィルタまたはスイッチドキャパシタフィルタであることを特徴とする，請求項１〜４のいずれかに記載の液晶表示装置。
【請求項６】
前記フィルタリング部は，
遮断周波数がおよそ５００ｋＨｚであることを特徴とする，請求項１〜５のいずれかに記載の液晶表示装置。
【請求項７】
前記液晶表示装置は，
赤色，緑色及び青色発光ダイオードを有し，前記赤色，緑色及び青色発光ダイオードが順次駆動するバックライト部をさらに備えることを特徴とする，請求項１〜６のいずれかに記載の液晶表示装置。
【請求項８】
走査駆動部から走査信号を供給する複数の走査線と，データ駆動部からデータを供給する複数のデータ線との交差領域に定義される複数の画素を有するパネル部と；
前記複数の画素に共通電圧を供給するための共通電圧発生回路と；
前記共通電圧発生回路から供給される前記共通電圧を前記複数の画素に印加するための複数の共通電圧ラインの共通ノードと前記共通電圧発生回路との間に位置して，前記共通電圧発生回路で発生するリップルノイズを遮断するためのフィルタリング部と；
を備えることを特徴とする，液晶表示装置。
【請求項９】
前記フィルタリング部は，
低域通過フィルタの特性を有することを特徴とする，請求項８に記載の液晶表示装置。
【請求項１０】
前記フィルタリング部は，
ＬＴＰＳ技術により製造されることを特徴とする，請求項８または９に記載の液晶表示装置。
【請求項１１】
前記フィルタリング部は，
アクティブＲＣフィルタまたはスイッチドキャパシタフィルタであることを特徴とする，請求項８〜１０のいずれかに記載の液晶表示装置。
【請求項１２】
前記フィルタリング部は，
遮断周波数がおよそ５００ｋＨｚであることを特徴とする，請求項８〜１１のいずれかに記載の液晶表示装置。
【請求項１３】
前記液晶表示装置は，
赤色，緑色及び青色発光ダイオードを有し，前記赤色，緑色及び青色発光ダイオードが順次駆動するバックライト部をさらに備えることを特徴とする，請求項８〜１２のいずれかに記載の液晶表示装置。
【請求項１４】
走査駆動部から走査信号を供給する複数の走査線と，データ駆動部からデータを供給する複数のデータ線との交差領域で定義される複数の画素を有するパネル部と；
前記パネル部に具備された前記複数の画素に共通電圧を供給するための共通電圧発生回路と；
前記パネル部を駆動するための制御信号を前記データ駆動部及び前記走査駆動部に供給するためのタイミング制御部と；
前記パネル部と前記タイミング制御部との間に連結され，前記共通電圧発生回路で発生するリップルノイズを遮断するためのフィルタリング部を有するフレキシブルプリント回路基板と；
を備えることを特徴とする，液晶表示装置。
【請求項１５】
前記液晶表示装置は，
前記フレキシブルプリント回路基板上に前記パネル部を駆動するための電圧を供給するレギュレータをさらに備えることを特徴とする，請求項１４に記載の液晶表示装置。
【請求項１６】
前記フィルタリング部は，
低域通過フィルタの特性を有することを特徴とする，請求項１４または１５に記載の液晶表示装置。
【請求項１７】
前記フィルタリング部は，
アクティブＲＣフィルタまたはスイッチドキャパシタフィルタであることを特徴とする，請求項１４〜１６のいずれかに記載の液晶表示装置。
【請求項１８】
前記フィルタリング部は，
遮断周波数がおよそ５００ｋＨｚであることを特徴とする，請求項１４〜１７のいずれかに記載の液晶表示装置。
【請求項１９】
前記液晶表示装置は，
赤色，緑色及び青色発光ダイオードを有し，前記赤色，緑色及び青色発光ダイオードが順次駆動するバックライト部をさらに備えることを特徴とする，請求項１４〜１８のいずれかに記載の液晶表示装置。
【発明の詳細な説明】
【技術分野】
【０００１】
本発明は液晶表示装置に係り，さらに詳細にはリップルノイズを減らすためのフィルタリング部を備えた液晶表示装置に関する。
【背景技術】
【０００２】
液晶表示装置（ＬＣＤ；Ｌｉｑｕｉｄ  Ｃｒｙｓｔａｌ  Ｄｉｓｐｌａｙ）は，スイッチング素子である薄膜トランジスタ（Ｔｈｉｎ  ｆｉｌｍ  ｔｒａｎｓｉｓｔｏｒ；以下ＴＦＴ）が形成されたＴＦＴ基板と，カラーフィルタが形成されたカラーフィルタ基板とが一定な間隔で維持されて，その間に液晶が注入された液晶パネルを有して構成される。しかし，このような上記液晶表示装置では，光がカラーフィルタを通過しながら損失されるので輝度が低い短所があった。このような光効率の低下を解決することができる方案としてフィールド順次（ｆｉｅｌｄ  ｓｅｑｅｎｔｉａｌ）駆動方式液晶表示装置が提案された。
【０００３】
フィールド順次駆動方式の液晶表示装置は，カラーフィルタを必要とせず，赤色（Ｒ），緑色（Ｇ），青色（Ｂ）の色を次々と発光する順次バックライト部（ｓｅｑｕｅｎｔｉａｌ  ｂａｃｋ−ｌｉｇｈｔ）を具備する。このような上記フィールド順次駆動方式の液晶表示装置は，１フレーム（ｆｒａｍｅ）を３個のサブフレーム（ｓｕｂ−ｆｒａｍｅ）に時分割して，それぞれのサブフレームで赤色光，緑色光及び青色光を加法混色して色を表示するようになる。
【０００４】
図１は，従来のフィールド順次駆動液晶表示装置の駆動波形を示す波形図である。
【０００５】
図１を参照して，フィールド順次駆動液晶表示装置で黄色を示す場合を例に挙げる。
【０００６】
黄色を示すためには，１フレームのうち第１サブフレーム間走査信号に応答して最高階調のＲデータ電圧を印加した後液晶に赤色光を透過させる。その後，第２サブフレーム間走査信号に応答して最高階調のＧデータを印加した後液晶に緑色光を透過させる。最後に，第３フレーム間には最低階調のＢデータ電圧を印加すれば（すなわち，Ｂデータ電圧を印加しない。）赤色光と緑色光が加法混色されて黄色を表示するようになる。
【０００７】
図２は，従来のフィールド順次駆動方式の液晶表示装置（ＬＣＤ）の駆動装置を示したブロック図である。
【０００８】
図２を参照すると，上記フィールド順次駆動液晶表示装置は，タイミング制御部２００，走査駆動部２１０，データ駆動部２２０，順次バックライト２５０，バックライトコントローラ２４０，共通電圧発生回路２３０及びパネル部２６０を備える。
【０００９】
上記タイミング制御部２００は，１フレームを赤色，緑色及び青色の３個のサブフレームに分けて上記パネル部２６０を駆動させるための制御信号を上記データ駆動部２２０及び走査駆動部２１０に供給する。上記フィールド順次駆動液晶表示装置を６０Ｈｚで駆動する場合，１フレームは１６．７ｍｓ間表示されて，各サブフレームは１／３である５．５６ｍｓ間表示される。このために上記タイミング制御部２００は，映像データ信号を赤色，緑色及び青色別に再整列する。上記再整列された映像データ信号は，アナログ信号の形態で上記データ駆動部２２０に供給される。
【００１０】
すなわち，上記タイミング制御部２００は，データ制御信号と走査（スキャン）制御信号を発生する。上記データ制御信号はソースシフトクロック（ＳＳＣ：Ｓｏｕｒｃｅ  ｓｈｉｆｔ  ｃｌｏｃｋ），ソース出力イネーブル（ＳＯＥ：Ｓｏｕｒｃｅ  Ｏｕｔｐｕｔ  Ｅｎａｂｌｅ），極性反転信号（ＰＯＬ：ｐｏｌａｒｉｔｙ  ｒｅｖｅｒｓａｌ  ｓｉｇｎａｌ）等を含み，上記データ駆動部２２０に供給される。上記走査（スキャン）制御信号はスキャンスタートパルス（ＳＳＰ：Ｓｃａｎ  Ｓｔａｒｔ  Ｐｕｌｓｅ），スキャンシフトクロック（ＳＳＣ：Ｓｃａｎ  Ｓｈｉｆｔ  ｃｌｏｃｋ），スキャン出力イネーブル（ＳＯＥ：Ｓｃａｎ  Ｏｕｔｐｕｔ  Ｅｎａｂｌｅ）等を含み，走査駆動部２１０に供給される。
【００１１】
また上記タイミング制御部２００は，液晶セルにデータが完全に供給された時点で赤色ランプ，緑色ランプ及び青色ランプが次々と駆動されるようにバックライトコントローラ２４０を制御する。
【００１２】
上記走査駆動部２１０は，上記タイミング制御部２００からの走査（スキャン）信号のうちスキャンスタートパルスに応答して走査信号を次々と発生するシフトレジスター（ｓｈｉｆｔ  ｒｅｇｉｓｔｅｒ）と走査信号の電圧を液晶セルの駆動に適合な電圧レベルにシフトさせるためのレベルシフト（ｌｅｖｅｌ  ｓｈｉｆｔ）を有し，上記走査信号を走査線を介してパネル部２６０に供給して，上記パネル部２６０に具備された複数の画素を選択する。
【００１３】
上記データ駆動部２２０は，上記タイミング制御部２００から供給されるデータ制御信号によって上記映像データ信号をサンプリング（ｓａｍｐｌｉｎｇ）した後に，上記サンプリングされた映像データ信号を一ライン分ずつラッチ（ｌａｔｃｈ）して上記ラッチされた映像データ信号をガンマ（ｇａｍｍａ）電圧に変換して，上記ガンマ電圧を変換された上記映像データ信号をアナログ信号の形態でデータ線を介して上記走査信号により選択された複数の画素に供給する。
【００１４】
上記共通電圧発生回路２３０は，複数の電源供給ラインを介して，共通電圧Ｖｃｏｍを提供するためのことであって，パネル部２６０に配列された複数の画素に同一なレベルの共通電圧Ｖｃｏｍを提供する。
【００１５】
上記パネル部２６０は，複数の走査線，複数のデータ線及び複数の共通電源ラインに連結される複数の画素を有する。
【００１６】
上記複数の画素を構成する各画素は，複数の走査線のうち該当する一つの走査線に連結されて，複数のデータ線のうち該当する一つのデータ線からデータ信号を伝達するためのスイッチングトランジスタ，上記スイッチングトランジスタを介して伝えられる赤色，緑色及び青色データ信号と複数の共通電源ラインのうち該当する一つの共通電源ラインから伝えられる共通電圧が両端に印加される液晶セル及び上記スイッチングトランジスタを介して上記液晶セルに印加される上記データ信号を保存するためのストレージキャパシタを有する。
【００１７】
すなわち，上記データ線と走査線への交差点に形成された上記スイッチングトランジスタは，走査駆動部２１０からの走査信号に応答してデータ信号を液晶セルに供給する。スイッチングトランジスタのソース電極は上記データ線に接続され，スイッチングトランジスタのドレイン電極は液晶セルの画素電極に接続される。すなわち，液晶セルの一側はＴＦＴのドレインと連結されて，他側は共通電極に連結される。
【００１８】
上記画素電極は，透明で電気伝導性を有するＩＴＯ（Ｉｎｄｉｕｍ  Ｔｉｎ  Ｏｘｉｄｅ）で作られ，ＴＦＴのゲートにオン（Ｏｎ）信号が印加される時，上記データ駆動部２２０を介して印加されるデータ信号を上記液晶セルに加えてくれる。そして共通電極もＩＴＯで作られて上記液晶セルに共通電圧Ｖｃｏｍを印加する。
【００１９】
上記ストレージキャパシタＣｓは，上記画素電極に印加されたデータ信号を一定時間維持させる役割をしており，充電及び放電を介して上記液晶セルの配列状態を変化させてくれることによって画素の光透過率を調節する。ストレージキャパシタの一側は独立電極やゲート電極と連結されることができるが，ゲート電極と連結される構造をストレージオンゲート（ｓｔｏｒａｇｅ  ｏｎ  ｇａｔｅ）方式と言う。
【００２０】
上記順次バックライト２５０は，赤色，緑色，青色の光を一定順序で発光させて上記パネル部２６０に照射する。
【００２１】
上記順次バックライト２５０は，赤色ランプ，緑色ランプ及び青色ランプで構成される。
【００２２】
上記ランプは，発光ダイオードで構成されることができる。
【００２３】
上記順次バックライト２５０は，それ自体で色を出すため，カラーフィルタが不要になり，その結果光透過率が増えて輝度が改善される。
【００２４】
上記バックライトコントローラ２４０は，上記順次バックライト２５０を駆動するための制御信号を供給する。
【発明の開示】
【発明が解決しようとする課題】
【００２５】
しかし，本発明と関連した従来技術の短所は，共通電圧発生回路で高周波成分のリップル（ｒｉｐｐｌｅ）ノイズが発生して，その結果上記パネル部２６０に配列されている複数の画素に同一なレベルの共通電圧が印加されることができなくなる。その結果フィールド順次駆動液晶表示パネル部の表示性能は顕著に低下する。したがって，上記共通電圧発生回路で発生する上記リップルノイズを，低域通過フィルタ（Ｌｏｗ  Ｐａｓｓ  Ｆｉｌｔｅｒ）を用いて，除去する方法が要求される。
【００２６】
そこで，本発明は，このような問題に鑑みてなされたもので，その目的は，上記共通電極で発生するリップルノイズを遮断することが可能な新規かつ改良された液晶表示装置を提供することにある。
【課題を解決するための手段】
【００２７】
上記課題を解決するために，本発明のある観点によれば，走査駆動部から走査信号を供給する複数の走査線と，データ駆動部からデータを供給する複数のデータ線との交差領域で定義される複数の画素を有するパネル部と；上記パネル部に具備された上記複数の画素に共通電圧を供給するための共通電圧発生回路と；上記共通電圧発生回路から供給される上記共通電圧を上記複数の画素に印加するための複数の共通電圧ライン上に位置して，共通電圧発生回路で発生するリップルノイズを遮断するためのフィルタリング部と；を備えることを特徴とする，液晶表示装置が提供される。
【００２８】
また，上記フィルタリング部は，上記パネル部と上記共通電圧発生回路との間に具備されてもよい。
【００２９】
また，上記フィルタリング部は，低域通過フィルタの特性を有してもよい。
【００３０】
また，上記フィルタリング部は，ＬＴＰＳ技術により製造されてもよい。
【００３１】
また，上記フィルタリング部は，アクティブＲＣフィルタまたはスイッチドキャパシタフィルタであってもよい。
【００３２】
また，上記フィルタリング部は，遮断周波数がおよそ５００ｋＨｚ（好ましくは５００ｋＨｚ）であってもよい。
【００３３】
また，上記液晶表示装置は，赤色，緑色及び青色発光ダイオードを有し，上記赤色，緑色及び青色発光ダイオードが順次駆動するバックライト部をさらに備えてもよい。
【００３４】
上記課題を解決するために，本発明の別の観点によれば，走査駆動部から走査信号を供給する複数の走査線と，データ駆動部からデータを供給する複数のデータ線との交差領域に定義される複数の画素を有するパネル部と；上記複数の画素に共通電圧を供給するための共通電圧発生回路と；上記共通電圧発生回路から供給される上記共通電圧を上記複数の画素に印加するための複数の共通電圧ラインの共通ノードと上記共通電圧発生回路との間に位置して，共通電圧発生回路で発生するリップルノイズを遮断するためのフィルタリング部と；を備えることを特徴とする，液晶表示装置が提供される。
【００３５】
また，上記フィルタリング部は，低域通過フィルタの特性を有してもよい。
【００３６】
また，上記フィルタリング部は，ＬＴＰＳ技術により製造されてもよい。
【００３７】
また，上記フィルタリング部は，アクティブＲＣフィルタまたはスイッチドキャパシタフィルタであってもよい。
【００３８】
また，上記フィルタリング部は，遮断周波数がおよそ５００ｋＨｚ（好ましくは５００ｋＨｚ）であってもよい。
【００３９】
また，上記液晶表示装置は，赤色，緑色及び青色発光ダイオードを有し，上記赤色，緑色及び青色発光ダイオードが順次駆動するバックライト部をさらに備えてもよい。
【００４０】
上記課題を解決するために，本発明の別の観点によれば，走査駆動部から走査信号を供給する複数の走査線と，データ駆動部からデータを供給する複数のデータ線との交差領域で定義される複数の画素を有するパネル部と；上記パネル部に具備された上記複数の画素に共通電圧を供給するための共通電圧発生回路と；上記パネル部を駆動するための制御信号を上記データ駆動部及び上記走査駆動部に供給するためのタイミング制御部と；上記パネル部と上記タイミング制御部を連結して，共通電圧発生回路  で発生するリップルノイズを遮断するためのフィルタリング部を有するフレキシブルプリント回路基板と；を備えることを特徴とする，液晶表示装置が提供される。
【００４１】
また，上記液晶表示装置は，上記フレキシブルプリント回路基板上に上記パネル部を駆動するための電圧を供給するレギュレータをさらに備えてもよい。
【００４２】
また，上記フィルタリング部は，低域通過フィルタの特性を有してもよい。
【００４３】
また，上記フィルタリング部は，アクティブＲＣフィルタまたはスイッチドキャパシタフィルタであってもよい。
【００４４】
また，上記フィルタリング部は，遮断周波数がおよそ５００ｋＨｚ（好ましくは５００ｋＨｚ）であってもよい。
【００４５】
また，上記液晶表示装置は，赤色，緑色及び青色発光ダイオードを有し，上記赤色，緑色及び青色発光ダイオードが順次駆動するバックライト部をさらに備えてもよい。
【発明の効果】
【００４６】
以上説明したように，本発明によれば，複数の画素に共通電圧を印加する複数の共通電圧ライン上，上記複数の共通電圧ラインの共通ノードと共通電圧発生回路間または上記共通電圧発生回路とフレキシブルプリント回路基板に具備されたレギュレータ間に上記フィルタリング部を具備することによって，共通電圧発生回路で発生する高周波成分であるリップルノイズを遮断して，液晶表示パネル部に配列されている上記複数の画素に同一なレベルの共通電圧を供給して液晶表示パネル部の表示性能を向上させることができる。
【発明を実施するための最良の形態】
【００４７】
以下に，添付した図面を参照しながら，本発明の好適な実施の形態について詳細に説明する。なお，本明細書及び図面において，実質的に同一の機能構成を有する発明特定事項については，同一の符号を付することにより重複説明を省略する。
【００４８】
本実施形態は，リップルノイズを低減するために，フィールド順次駆動液晶表示パネル部を構成する複数の画素に共通電圧を印加する複数の共通電圧ライン上の，上記共通電圧ラインの共通ノードと共通電圧発生回路との間，または上記共通電圧発生回路とフレキシブルプリント回路基板に具備されたレギュレータとの間に上記フィルタリング部を具備したフィールド順次駆動液晶表示装置を提供することにある。
【００４９】
図３Ａは，本発明の第１実施形態によるフィールド順次駆動液晶表示装置の駆動装置を示したブロック図である。
【００５０】
図３Ａを参照すると，上記フィールド順次駆動液晶表示装置は，タイミング制御部３００，データ駆動部３２０，走査駆動部３１０，パネル部３６０，共通電圧発生回路３３０及びフィルタリング部３４０を備える。
【００５１】
上記タイミング制御部３００は，１フレームを赤色，緑色及び青色３個のサブフレームに分けて上記パネル部３６０を駆動させるための制御信号を上記データ駆動部３２０及び走査駆動部３１０に供給する。上記タイミング制御部３００は映像データ信号を赤色，緑色及び青色別に再整列して上記再整列された映像データ信号はデジタル信号の形態で上記データ駆動部３２０に供給される。
【００５２】
上記データ駆動部３２０は，上記タイミング制御部３００から供給される上記制御信号によって上記映像データ信号をサンプリングした後に，サンプリングされた上記データを一ライン分ずつラッチ（ｌａｔｃｈ）してラッチされた上記映像データ信号をガンマ電圧に変換して，上記ガンマ電圧に変換された映像データ信号をアナログ信号の形態で上記パネル部３６０に具備された複数の画素にデータ線を介して供給する。
【００５３】
上記走査駆動部３１０は，上記タイミング制御部３００から供給された走査信号のうちスキャンスタートパルスに応答して走査信号を次々と発生するシフトレジスター（ｓｈｉｆｔ  ｒｅｇｉｓｔｅｒ）と上記走査信号の電圧を液晶セルの駆動に適合な電圧レベルにシフトさせるためのレベルシフト（ｌｅｖｅｌ  ｓｈｉｆｔ）を有し，上記走査信号を，走査線を介して上記パネル部３６０に供給して上記複数の画素を選択する。
【００５４】
上記共通電圧発生回路３３０は，複数の共通電圧（Ｖｃｏｍ）ラインを介して，共通電圧Ｖｃｏｍを提供するためのことであって，上記パネル部３６０に配列された上記複数の画素に同一なレベルの共通電圧を提供する。
【００５５】
上記パネル部３６０は，複数の走査線３１１−３１ｎ，複数のデータ線３２１−３２ｍ及び複数の共通電圧ライン３３１−３３ｎに連結される複数の画素を有する。
【００５６】
上記複数の画素を構成する各画素は，複数の走査線３１１−３１ｎのうち該当する一つの走査線に連結されて複数のデータ線３２１−３２ｍのうち該当する一つのデータ線からデータ信号を伝達するためのスイッチングトランジスタ，上記スイッチングトランジスタを介して伝えられる赤色，緑色及び青色データ信号と複数の共通電源ライン３３１−３３ｎのうち該当する一つの共通電源ラインから伝えられる共通電圧Ｖｃｏｍが両端に印加される液晶セル及び上記スイッチングトランジスタを介して上記液晶セルに印加される上記データ信号を保存するためのストレージキャパシタを有する。
【００５７】
上記液晶表示装置は，順次バックライト部（図面に図示せず。）及び上記順次バックライト部を制御するためのバックライト制御器（図面に図示せず。）をさらに有する。
【００５８】
上記順次バックライト部は，赤色，緑色及び青色ランプを有して，上記バックライト制御器の制御信号によって赤色，緑色及び青色の光を次々と上記パネル部３６０に照射する。共に上記ランプは発光ダイオード（赤色，緑色及び青色）で構成されることができる。
【００５９】
上記バックライト制御器は，上記タイミング制御器から供給される制御信号に応じて，上記順次バックライト部を次々と駆動するための制御信号を，上記順次バックライト部に供給する。
【００６０】
複数の共通電圧ライン３３１−３３ｎを構成する各ライン上にある上記フィルタリング部３４０は，パネル部３６０と共通電圧発生回路３３０との間に具備される。
【００６１】
その結果，上記フィルタリング部３４０は，共通電圧発生回路で発生する高周波成分であるリップルノイズを遮断して，上記パネル部３６０に配列された複数の画素に同一なレベルの共通電圧を供給することができる。
【００６２】
また上記フィルタリング部３４０は，遮断周波数ｆｃがおよそ５００ｋＨｚであることを特徴とする低域通過フィルタの特性を有して動作する。該低域通過フィルタは，ＬＴＰＳ（Ｌｏｗ  Ｔｅｍｐｅｒａｔｕｒｅ  Ｐｏｌｙ  Ｓｉｌｉｃｏｎ）技法によって製造される。
【００６３】
また上記低域通過フィルタは，アクティブＲＣフィルタまたはスイッチドキャパシタフィルタ（Ｓｗｉｔｃｈｅｄ  ｃａｐａｃｉｔｏｒ  ｆｉｌｔｅｒ；ＳＣＦ）で代替することができる。
【００６４】
図３ＢはアクティブＲＣフィルタからＳＣＦ（ｓｗｉｔｃｈｅｄ  ｃａｐａｃｉｔｏｒ  ｆｉｌｔｅｒ；以下ＳＣＦ）の誘導を示した回路図である。
【００６５】
図３Ｂを参照すると，アクティブＲＣフィルタの抵抗Ｒ１は上記スイッチドキャパシタＣ１で代置することができる。この時，上記ＳＣＦを構成する上記スイッチドキャパシタＣ１（容量），抵抗Ｒ１（抵抗値），遮断周波数ｆｃは，次の数式１で表される。
【００６６】
Ｃ１＝１／ｆｃＲ１  ・・・（数式１）
【００６７】
図４は，第２実施形態によるフィールド順次駆動液晶表示装置を示したブロック図である。
【００６８】
図４を参照すると，上記フィールド順次駆動液晶表示装置はタイミング制御部４００，データ駆動部４２０，走査駆動部４１０，パネル部４６０，共通電圧発生回路４３０及びフィルタリング部４４０を備える。また上記液晶表示装置は順次バックライト部（図面に図示せず。）及び上記順次バックライト部を制御するためのバックライト制御器（図面に図示せず。）をさらに備える。
【００６９】
上記タイミング制御部４００，データ駆動部４２０，走査駆動部４１０，パネル部４６０，共通電圧発生回路４３０，順次バックライト部及びバックライト制御器に対する内容は上記実施形態１で説明したことと同じであるので省略する。
【００７０】
上記フィルタリング部４４０は，上記パネル部４６０に具備された上記複数の画素に共通電圧Ｖｃｏｍを印加する複数の共通電圧ライン４３１−４３ｎの共通ノード４７０と共通電圧発生回路４３０との間に具備される。その結果上記フィルタリング部４４０は共通電圧発生回路で発生する高周波成分であるリップルノイズを遮断して，上記パネル部４６０に配列されている複数の画素に同一なレベルの共通電圧Ｖｃｏｍを供給することができる。
【００７１】
また上記フィルタリング部は，遮断周波数ｆｃがおよそ５００ｋＨｚであることを特徴とする低域通過フィルタの特性を有して動作する。上記低域通過フィルタは，ＬＴＰＳ技法によって製造される。
【００７２】
また上記低域通過フィルタは，アクティブＲＣフィルタまたはスイッチドキャパシタフィルタ（ＳＣＦ）で代替することができる。
【００７３】
上記低域通過フィルタを構成する抵抗をＲ１（抵抗値），遮断周波数をｆｃとする時，上記スイッチドキャパシタフィルタを構成するスイッチドキャパシタの容量Ｃ１は次の数式１で表される。（図３Ｂ参照。）
【００７４】
Ｃ１＝１／ｆｃＲ１・・・（数式１）
【００７５】
図５は，本発明の第３実施形態によるフィールド順次駆動液晶表示装置を示したブロック図である。
【００７６】
図５を参照すると，上記フィールド順次駆動液晶表示装置は，タイミング制御部５００，データ駆動部５２０，走査駆動部５１０，パネル部５６０，共通電圧発生回路５３０及びフレキシブルプリント回路基板５７０を備える。
【００７７】
上記走査駆動部５１０，データ駆動部５２０，タイミング制御部５００，共通電圧発生回路５３０及びパネル部５６０などに対する説明は，上記実施形態１で詳述したところと同じであるので省略する。
【００７８】
上記フレキシブルプリント回路基板５７０は，レギュレータ５７２，フィルタリング部５７４を具備する。
【００７９】
上記フレキシブルプリント回路基板５７０は，上記タイミング制御部５００で生成された上記パネル部５６０を駆動するための制御信号を，上記走査駆動部５１０及びデータ駆動部５２０に供給する。
【００８０】
上記フレキシブルプリント回路基板５７０は，バックライトコントローラ（図面に図示せず。）を有することができる。
【００８１】
上記バックライトコントローラは，赤色，緑色及び青色ランプを有する順次バックライト部（図面に図示せず。）を駆動するための制御信号を，上記順次バックライト部（図面に図示せず。）に供給する。
【００８２】
上記順次バックライト部は，赤色，緑色及び青色ランプを具備して，上記バックライト制御器から供給される制御信号によって赤色，緑色及び青色の光を次々と上記パネル部５６０に照射する。上記ランプは，発光ダイオード（赤色，緑色及び青色）で構成されることができる。
【００８３】
上記レギュレータ５７２は，上記フレキシブルプリント回路基板５７０上に具備されて，上記パネル部５６０を駆動させるための電圧を供給する。
【００８４】
上記フィルタリング部５７４は，上記共通電圧発生回路５３０と上記フレキシブルプリント回路基板５７０上に具備された上記レギュレータ５７２との間に具備される。その結果上記フィルタリング部５７４は，共通電圧発生回路で発生する高周波成分であるリップルノイズを遮断して，上記パネル部５６０に配列している上記複数の画素に同一なレベルの共通電圧を供給することができる。
【００８５】
また上記フィルタリング部５７４は遮断周波数ｆｃがおよそ５００ｋＨｚであることを特徴とする低域通過フィルタの特性を有して動作する。また上記低域通過フィルタはアクティブＲＣフィルタまたはスイッチドキャパシタフィルタ（ＳＣＦ）で代替することができる。
【００８６】
上記ＳＣＦを構成するスイッチドキャパシタＣ１は，上記アクティブＲＣフィルタを構成する抵抗をＲ１（抵抗値），遮断周波数をｆｃとする時，次の数式１で表される。（図３Ｂ参照。）
【００８７】
Ｃ１＝１／ｆｃＲ１・・・（数式１）
【００８８】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００８９】
本発明は，液晶表示装置に適用可能である。
【図面の簡単な説明】
【００９０】
【図１】従来技術によるフィールド順次駆動液晶表示装置の駆動波形を示す波形図である。
【図２】従来技術によるフィールド順次駆動液晶表示装置の駆動装置を示したブロック図である。
【図３Ａ】本発明の第１実施形態にかかるフィールド順次駆動液晶表示装置の駆動装置を示したブロック図である。
【図３Ｂ】アクティブＲＣフィルタからスイッチドキャパシタフィルタの誘導を示した回路図である。
【図４】本発明の第２実施形態にかかるフィールド順次駆動液晶表示装置の駆動装置を示したブロック図である。
【図５】本発明の第３実施形態にかかるフィールド順次駆動液晶表示装置を示したブロック図である。
【符号の説明】
【００９１】
３００，４００，５００      タイミング制御部
３１０，４１０，５１０      走査駆動部
３２０，４２０，５２０      データ駆動部
３３０，４３０，５３０      共通電圧発生回路
３４０，４４０      フィルタリング部
５７０      フレキシブルプリント回路基板
５７２      レギュレータ
５７４      フィルタリング部
【図１】
2006235562.tif 000003
【図２】
2006235562.tif 000004
【図３Ａ】
2006235562.tif 000005
【図３Ｂ】
2006235562.tif 000006
【図４】
2006235562.tif 000007
【図５】
2006235562.tif 000008